(57)【要約】紙管にバーコードを貼着したり日付を直接印字する構成では、パッケージの受渡しなどが行なわれるうちに、バーコードが剥がれたり、印字がかすれて見えにくくなったりする不具合があった。一方、パッケージと別体のトレイ等にバーコード等の識別情報の記憶手段を設ける構成とすると、パッケージの管理が複雑化してしまう。本発明による巻き糸パッケージ８の芯管となるボビン１０は、紙を巻回して筒状の紙積層体に形成される紙管であり、中間層１０ｂと外層１０ｃとの間に、薄片状（ラベル型）の記憶媒体１３が埋め込まれたものである。【特許請求の範囲】
【請求項１】
内部に情報の読み書き可能な記憶媒体が埋め込まれていることを特徴とする巻き糸パッケージの巻取り管。
【請求項２】
請求項１に記載の巻き糸パッケージの巻取り管を芯とする巻き糸パッケージを一又は複数段階の処理工程を経て加工すべく、前記各処理工程を担当する処理設備をそれぞれ備える加工工場における巻き糸パッケージの管理装置であって、前記記憶媒体内に記憶されるデータを読取る記憶媒体読取装置と、データ入力装置と、データ記憶装置と、制御装置と、を備え、前記巻取り管内の前記記憶媒体には、この巻取り管に巻き取られる巻き糸パッケージの識別情報が記憶されると共に、前記制御装置は、少なくとも一つの前記各処理工程において、前記処理設備により処理を受けた前記巻き糸パッケージの前記識別情報が前記記憶媒体読取装置により読取られると、その巻き糸パッケージが前記処理設備で受けた処理結果の入力を前記データ入力装置に許可すると共に、入力された前記処理結果を前記識別情報に対応させて前記データ記憶装置に記憶させる、ことを特徴とする、巻き糸パッケージの管理装置。
【請求項３】
前記処理設備の少なくとも一つにおいては、この処理設備の信号出力部を前記データ入力装置とし、この信号出力部より、前記パッケージの処理結果に関わる信号を自動的に出力させて、前記データ記憶装置に入力させる、ことを特徴とする、請求項２に記載の巻き糸パッケージの管理装置。
【請求項４】
請求項１に記載の巻き糸パッケージの巻取り管を芯とする巻き糸パッケージを一又は複数段階の処理工程を経て加工すべく、前記各処理工程を担当する処理設備をそれぞれ備える加工工場における巻き糸パッケージの管理装置であって、前記記憶媒体内に記憶されるデータを読取る記憶媒体読取装置と、データ記憶装置と、制御装置と、を備え、前記巻取り管内の前記記憶媒体には、この巻取り管に巻き取られる巻き糸パッケージの識別情報が記憶され、前記データ記憶装置には、前記各巻き糸パッケージの糸種、加工条件、生産計画、に関連する情報が、管理情報として、前記各識別情報に対応して記憶されると共に、前記制御装置は、少なくとも一つの前記各処理工程において、前記巻き糸パッケージの前記識別情報が前記記憶媒体読取装置により読取られると、その巻き糸パッケージの前記管理情報と、その巻き糸パッケージを処理する処理設備による処理内容と、が対応するかどうかを判定し、対応していない場合には、前記処理設備による前記巻き糸パッケージの処理を中断させる、及び／又は、警告出力装置を介して警告させる、ことを特徴とする、巻き糸パッケージの管理装置。
【請求項５】
請求項１に記載の巻き糸パッケージの巻取り管を芯とする巻き糸パッケージを一又は複数段階の処理工程を経て加工すべく、前記各処理工程を担当する処理設備をそれぞれ備える加工工場における巻き糸パッケージの管理装置であって、前記記憶媒体内に記憶されるデータを読取る記憶媒体読取装置と、データ記憶装置と、データ出力装置と、制御装置と、を備え、前記巻取り管内の前記記憶媒体には、この巻取り管に巻き取られる巻き糸パッケージの識別情報が記憶され、前記データ記憶装置には、前記各巻き糸パッケージの糸種、加工条件、生産計画、に関連する情報が、管理情報として、前記各識別情報に対応して記憶されると共に、前記制御装置は、少なくとも一つの前記各処理工程において、前記巻き糸パッケージの前記識別情報が前記記憶媒体読取装置により読取られると、その巻き糸パッケージの前記管理情報の少なくとも一部を前記データ記憶装置より引き出して、前記データ出力装置に表示出力させる、ことを特徴とする、巻き糸パッケージの管理装置。
【請求項６】
前記記憶媒体はデータの読取りおよび書き込みが可能に構成されると共に、前記記憶媒体にデータを書き込む記憶媒体書込み装置を備える、ことを特徴とする、請求項２から請求項５のいずれかに記載の巻き糸パッケージの管理装置。
【発明の詳細な説明】
【技術分野】
【０００１】
本発明は、巻き糸パッケージの巻取り管および、巻き糸パッケージを複数の工程を経て加工する加工工場における巻き糸パッケージの管理装置に関する。
【背景技術】
【０００２】
従来より、巻き糸パッケージを加工する設備において、バーコードを利用して、巻き糸パッケージを個別管理するシステムが知られている。例えば、特公平５−５７４４号公報に開示される管理装置では、ボビンの受け皿（トレイ）に、ワインダーを構成するワインディングユニットの符号がコード化されたバーコードを貼着し、各ボビンのパッケージが、どのワインディングユニットで加工されたかが特定可能とされる構成である。つまり、どのような加工を受けたかに関する情報（糸質情報）が、各パッケージに対応して得られるものとなっている。
また、パッケージの管理においては、バーコードのような識別情報の記憶手段をトレイに貼着する構成に限られず、巻き糸パッケージの紙管の内側に、バーコードを貼り付けたり、日付を印字したり、することも行なわれている。このように構成することで、パッケージがトレイ等の搬送手段から分離されて単体で扱われる状態でも、パッケージの生産日や生産計画Ｎｏなどの情報を管理することが可能である。つまり、紙管にパッケージの識別情報を記憶させる構成とすると、パッケージの受渡しが複数の工程で行なわれる場合のパッケージ管理が容易となる。
【発明の開示】
【発明が解決しようとする課題】
【０００３】
ところが、紙管にバーコードを貼着したり日付を直接印字する構成では、パッケージの受渡しなどが行なわれるうちに、バーコードが剥がれたり、印字がかすれて見えにくくなったりする不具合があった。一方、特許文献１に開示されるように、パッケージと別体のトレイ等にバーコード等の識別情報の記憶手段を設ける構成とすると、パッケージの管理が複雑化してしまう。
【課題を解決するための手段】
【０００４】
本発明の解決しようとする課題は以上の如くであり、次にこの課題を解決するための手段を説明する。
即ち、請求項１においては、内部に記憶媒体が埋め込まれている、ものである。
請求項２においては、前記巻き糸パッケージの巻取り管を芯とする巻き糸パッケージを一又は複数段階の処理工程を経て加工すべく、前記各処理工程を担当する処理設備をそれぞれ備える加工工場における巻き糸パッケージの管理装置であって、前記記憶媒体内に記憶されるデータを読取る記憶媒体読取装置と、データ入力装置と、データ記憶装置と、制御装置と、を備え、前記巻取り管内の前記記憶媒体には、この巻取り管に巻き取られる巻き糸パッケージの識別情報が記憶されると共に、前記制御装置は、少なくとも一つの前記各処理工程において、前記処理設備により処理を受けた前記巻き糸パッケージの前記識別情報が前記記憶媒体読取装置により読取られると、その巻き糸パッケージが前記処理設備で受けた処理結果の入力を前記データ入力装置に許可すると共に、入力された前記処理結果を前記識別情報に対応させて前記データ記憶装置に記憶させる、ものである。
請求項３においては、前記処理設備の少なくとも一つにおいては、この処理設備の信号出力部を前記データ入力装置とし、この信号出力部より、前記パッケージの処理結果に関わる信号を自動的に出力させて、前記データ記憶装置に入力させる、ものである。
請求項４においては、前記巻き糸パッケージの巻取り管を芯とする巻き糸パッケージを一又は複数段階の処理工程を経て加工すべく、前記各処理工程を担当する処理設備をそれぞれ備える加工工場における巻き糸パッケージの管理装置であって、前記記憶媒体内に記憶されるデータを読取る記憶媒体読取装置と、データ記憶装置と、制御装置と、を備え、前記巻取り管内の前記記憶媒体には、この巻取り管に巻き取られる巻き糸パッケージの識別情報が記憶され、前記データ記憶装置には、前記各巻き糸パッケージの糸種、加工条件、生産計画、に関連する情報が、管理情報として、前記各識別情報に対応して記憶されると共に、前記制御装置は、少なくとも一つの前記各処理工程において、前記巻き糸パッケージの前記識別情報が前記記憶媒体読取装置により読取られると、その巻き糸パッケージの前記管理情報と、その巻き糸パッケージを処理する処理設備による処理内容と、が対応するかどうかを判定し、対応していない場合には、前記処理設備による前記巻き糸パッケージの処理を中断させる、及び／又は、警告出力装置を介して警告させる、ものである。
請求項５においては、前記巻き糸パッケージの巻取り管を芯とする巻き糸パッケージを一又は複数段階の処理工程を経て加工すべく、前記各処理工程を担当する処理設備をそれぞれ備える加工工場における巻き糸パッケージの管理装置であって、前記記憶媒体内に記憶されるデータを読取る記憶媒体読取装置と、データ記憶装置と、データ出力装置と、制御装置と、を備え、前記巻取り管内の前記記憶媒体には、この巻取り管に巻き取られる巻き糸パッケージの識別情報が記憶され、前記データ記憶装置には、前記各巻き糸パッケージの糸種、加工条件、生産計画、に関連する情報が、管理情報として、前記各識別情報に対応して記憶されると共に、前記制御装置は、少なくとも一つの前記各処理工程において、前記巻き糸パッケージの前記識別情報が前記記憶媒体読取装置により読取られると、その巻き糸パッケージの前記管理情報の少なくとも一部を前記データ記憶装置より引き出して、前記データ出力装置に表示出力させる、ものである。
請求項６においては、前記記憶媒体はデータの読取りおよび書き込みが可能に構成されると共に、前記記憶媒体にデータを書き込む記憶媒体書込み装置を備える、ものである。
【図面の簡単な説明】
【０００５】
図１は、パッケージ加工工場の概略構成を示す図である。
図２は、記憶媒体の埋め込まれた紙管であるボビンを示す図であり、特に（ａ）図は斜視図、（ｂ）図は横断面図である。
図３は、パッケージの処理工程手順を示す手順図である。
図４は、巻き返し工程における照合処理に係わる装置構成を示す図である。
図５は、巻き返し工程におけるデータ登録処理に係わる装置構成を示す図である。
図６は、検査工程におけるデータ登録処理に係わる装置構成を示す図である。
図７は、スチームセット工程における照合処理に係わる装置構成を示す図である。
図８は、染色工程における表示処理に関わる装置構成を示す図である。
図９は、入庫管理工程における照合処理に係わる装置構成を示す図である。
【発明を実施するための最良の形態】
【０００６】
本発明の実施の形態を、図面を用いて説明する。図２等に示すボビン１０は、本発明の巻き糸パッケージの巻取り管の一実施の形態である。図１等に示すパッケージ加工工場１には、本発明の巻き糸パッケージの管理装置の実施の形態が備えられている。
まず、図１を用いて、パッケージ加工工場１の概略構成を説明する。パッケージ加工工場１には、巻き返し設備２、検査設備３、スチームセット設備４、染色設備５、入庫管理設備６、サーバ９、が備えられている。設備２・３・４・５・６は、巻き糸パッケージ（以下、単にパッケージ）８の処理に係わる処理設備であり、サーバ９はこれらの処理設備に備える入出力装置を管理するホストコンピュータである。また、パッケージ加工工場１の外部には、精紡設備１１と、織布設備１２と、が設けられている。
図１に示す精紡設備１１は、精紡により紡績糸を製造すると共に、この紡績糸をボビン上に巻き取って原料パッケージ７を製造する設備である。原料パッケージ７は、糸欠点等を含む未完成のパッケージであり、この原料パッケージ７がパッケージ加工工場１の巻き返し設備２に供給される。
図１、図４に示す巻き返し設備２は、精紡設備１１で製造された原料パッケージ７を、糸欠点の除去された状態で巻き返して、完成品のパッケージ８を製造する設備であり、巻き返し装置（ワインダー）２０が備えられている。
図４に示すように、各巻き返し装置２０には、一錘のパッケージ８を製造する巻き返しユニット（ワインディングユニット）２１が多数備えられると共に、各巻き返しユニット２１間で兼用の玉揚げ装置２２が備えられている。各巻き返しユニット２１は、糸欠点の検出装置２３や、糸切断装置２４や、糸継ぎ装置２５を備えており、糸欠点を除去しながら、パッケージの巻き返しを行なう。玉揚げ装置２２は、各巻き返しユニット２１に、巻き返し作業の開始に際して空のボビン１０を供給すると共に、巻き返し作業の終了に際して満巻のパッケージ８を回収（玉揚げ）する。
図１、図６に示す検査設備３は、パッケージ８の検査を行なうための設備である。検査設備３において行なわれるパッケージ８の検査は、重量計測検査と、作業者の目視検査と、である。この検査設備３には、パッケージ８の重量を計測する重量計３１や、必要に応じてパッケージ８の表面を拡大する拡大鏡３３、などが備えられている。
図１、図７に示すスチームセット設備４は、パッケージ８にスチームセットを行う設備である。スチームセット設備４には、パッケージ８を収容して蒸気による加熱を行なう蒸気室４１が備えられている。パッケージ８は、蒸気室内での蒸気加熱を受けて、スチームセットされる。
図１、図８に示す染色設備５は、パッケージ８を染色する設備である。染色設備５には、パッケージ８を浸して染色するための染色槽５１が備えられている。
図１、図９に示す入庫管理設備６は、パッケージ８を梱包し、梱包されたパッケージ８を倉庫６４内に仕分けする設備である。入庫管理設備６には、パッケージ８を複数個単位で梱包する装置（梱包装置６１）、梱包物１８（梱包されたパッケージ８）１８を収容する倉庫６４、倉庫６４内に梱包物１８を仕分けする装置（仕分け装置６３）、などが備えられている。なお、パッケージ８の梱包は、例えばダンボールにより行なう。
図１に示す織布設備１１は、パッケージ加工装置１において加工されたパッケージ８を利用して布を製造する設備である。この織布設備１１には、入庫管理設備６で仕分けされた梱包物１８が、前記倉庫６４から出庫されて、受け渡される。なお、本実施の形態では、織布設備１２を、パッケージ加工工場１の外部の設備としたが、パッケージ加工工場の内部の設備として、織布処理までもパッケージ加工工場において行なわれる処理としても良い。
次に、図２を用いて、パッケージ８が巻回されるボビン１０を説明する。パッケージ８の芯管となるボビン１０は、紙を巻回して筒状の紙積層体に形成される紙管である。具体的には、マンドレル上に左右からテープ状の原紙をスパイラル状に巻きつけて、長い紙管を形成し、この長い紙管を軸方向の適宜長さで切断することで、パッケージ８の芯管となるボビン１０が製造される。このボビン１０には、記憶媒体１３が埋め込まれている。この記憶媒体１３は、ボビン１０上に形成されるパッケージ８の識別情報や、その他パッケージ８に係わる情報を記憶させるための手段である。
図２（ｂ）に示すように、紙管であるボビン１０は、複数（本実施形態は３層）の紙層、内層１０ａ、中間層１０ｂ、外層１０ｃ、より構成されている。中間層１０ｂと外層１０ｃとの間には、薄片状（ラベル型）の記憶媒体１３が埋め込まれている。記憶媒体１３のボビン１０内への埋め込みは、マンドレル上に内層１０ａ、中間層１０ｂを巻きつけた後、中間層１０ｂの外側に外層１０ｃを巻きつけるのに先立って、中間層１０ｂの外表面に記憶媒体１３を貼り付けることで、行なわれる。記憶媒体の埋め込み部位は、紙管であるボビン１０を構成する複数の紙層間であれば、中間層１０ｂと外層１０ｃとの間に限定されず、他の紙層間であってもよい。
記憶媒体１３は、外部の記憶媒体の読取装置のアンテナ側からの非接触電力伝送により、記憶媒体１３自体に電池を有することなく、半永久的に利用可能なタグに構成されている。このため、記憶媒体１３の電池交換のために、ボビン１０を構成する紙管を破壊する必要は無く、ボビン１０（その内部の記憶媒体１３を含む）が破損しない限り、記憶媒体１３付きのボビン１０の使用を継続できる。
図１、図３を用いて、パッケージ加工工場１におけるパッケージ８の処理工程手順を説明する。図３に示すように、パッケージ８は、巻き返し工程（パッケージ形成工程）２００、検査工程３００、スチームセット工程４００、染色工程５００、入庫管理工程６００、の各処理工程を経て加工される。また、パッケージ８の処理工程手順は、必ずしも、図３に示す手順に限定されるものではない。例えば、検査工程３００とスチームセット工程４００とは逆であっても良い。
ここで、巻き返し工程２００は巻き返し設備２で行なわれる処理である。検査工程３００は検査設備３で行なわれる処理である。スチームセット工程４００はスチームセット設備４で行なわれる処理である。染色工程５００は染色設備５で行なわれる処理である。入庫管理工程６００は、入庫管理設備６において行なわれる処理である。
図３を用いて、各処理工程において行なわれるパッケージ８の管理処理を説明する。パッケージ８の各処理工程においては、後述する管理装置（本実施の形態）により、パッケージ８の管理に係わる処理として、照合処理、表示処理、データ登録処理が行なわれる。これらの各処理は、以下で、個別に具体的に説明するが、次のようなものである。照合処理とは、各処理工程において、パッケージ８の管理情報と各処理工程での処理内容とが、対応するかどうかを照合する処理である。表示処理とは、パッケージ８に関連する情報（管理情報）を、各処理工程において、ディスプレイ等の出力装置に表示出力させる処理である。データ登録処理とは、各処理工程において、処理を受けた後のパッケージ８の処理結果に関するデータを、前記サーバ９の記憶装置９ａに登録する処理である。なお、パッケージ８の各処理工程において、必ずしも、照合処理、表示処理、データ登録処理のすべてが行なわれる必要はない。
本実施の形態である、パッケージ８の管理装置の構成を説明する。この管理装置は、前述したように、前記各処理工程において、パッケージ８の管理に係わる処理（管理処理）である、照合処理、表示処理、データ登録処理を行なう装置である。このため、この管理装置には、前記各管理処理においてパッケージ８の識別情報を読取るための記憶媒体読取装置、データ登録処理用のデータ入力装置、照合処理や表示処理におけるデータ参照先やデータ登録処理における登録先としてのデータ記憶装置（記憶装置９ａ）、各処理の指令塔となる制御装置、表示処理用のデータ出力装置、が備えられている。以下においては、この管理装置に備えるハード資源のうち、各処理工程において行なわれる各管理処理において必要なハード（装置）のみを列挙して、説明を行なう。
図４、図５を用いて、巻き返し工程２００における管理処理について説明する。巻き返し工程２００においては、前記管理処理として、照合処理およびデータ登録処理が行なわれる。巻き返し工程２００においては、各巻き返しユニット２１に、巻き出し用の原料パッケージ７が供給されると共に、巻き返しの芯管となる空のボビン１０が供給される。そして、各巻き返しユニット２１は、原料パッケージ７を巻き返してパッケージ８を製造する。なお、満巻状態のパッケージ８の糸量に応じて、一又は複数の原料パッケージ７が必要となる。
ここで、各巻き返しユニット２１には、玉揚げ装置２２により空のボビン１０が供給されて、巻き返しユニット２１のボビンホルダに装着される。このボビンホルダへの装着時に、ボビン１０に巻取る予定のパッケージ８の品種（糸種および番手）と、各巻き返しユニット２１での処理内容（どの品種の原料パッケージ７を巻き返すか）と、が対応しているか否か、を照合する照合処理が行われる。
前記照合処理は、例えば、玉揚げ装置が空ボビンを把持するタイミングで照合を行い、異品種用の空ボビンが混在していたら、玉揚げ動作を中断して、警報を出してオペレータを呼ぶか、あるいは、把持した異品種用空ボビンを落とし、次の正規の空ボビンを把持して巻き返しユニットにセットするように玉揚げ動作を制御することが好ましい。なお、上記警報の表示は、玉揚げ装置、巻き返しユニット、あるいは機台端部の機台コントローラ等に表示することができる。
なお、ボビン１０には、品種に応じて異なる色（紙管色）が塗られており、作業者が目視で、どの品種のパッケージ８を巻取るためのボビンであるかを特定可能である。
図４に示すように、前記管理装置に備える装置のうち、巻き返し工程２００における照合処理に係わる装置は、玉揚げ装置２２に備える記憶媒体リーダ２２ａ、巻き返し装置２０に備える制御装置２０ａ、サーバ９の記憶装置９ａ、である。記憶媒体リーダ２２ａと制御装置２０ａとの間、制御装置２０ａと記憶装置９ａとの間は、信号線を介して通信可能に接続されている。
玉揚げ装置２２に備える記憶媒体リーダ２２ａは、ボビン１０内の記憶媒体１３に記憶される情報の読取りが可能な装置であり、前記管理処理において、ボビン１０に巻き取られるパッケージ８の識別情報を読取る。
サーバ９の記憶装置９ａには、パッケージ８の管理に係わる情報（以下、管理情報）として、糸種、加工条件、生産計画、等に関する情報が、前記各処理工程の実行に先立って予め記憶されている。糸種に関する情報とは、糸の種類だけでなく糸の番手に関する情報をも含む。加工条件に関わる情報とは、各処理工程においてパッケージ８（糸）を加工処理する条件のことであり、例えば、巻き返し工程２００における巻取条件（巻取速度など）や染色工程５００における染色条件を意味する。生産計画に関する情報とは、各パッケージ８が、どのロット（糸種や加工条件を同一とする単位）の何番目に位置するか等、全体の生産計画における各パッケージ８の位置付けに関する情報である。
巻き返し装置２０に備える制御装置２０ａは、基本的には、各巻き返しユニット２１を制御する装置であるが、巻き返し工程２００における照合処理の指令部としても機能する。なお、巻き返し工程２００における照合処理の指令部を、本実施の形態では、巻き返し装置２０に備える制御装置２０ａに兼用させる構成であるが、この指令部をサーバ９に備える制御装置や、専用の制御装置に担当させる構成としても良い。
巻き返し工程２００における照合処理は、次のようにして行なわれる。まず、玉揚げ装置２２の記憶媒体リーダ２２ａにより、巻き返しユニット２１に装着されたボビン１０に記憶されるパッケージ８の識別情報（ボビン１０に巻取る予定のパッケージ８の識別情報）が、読取られる。巻き返し工程２００においては、この記憶媒体リーダ２２ａによる読取りも、制御装置２０ａによる指令に基づいて行なわれる。
次いで、制御装置２０ａは、パッケージ８の管理情報と、そのパッケージ８を処理する巻き返しユニット２１による処理内容と、が対応するかどうかを判定する。具体的には、制御装置２０ａは、パッケージ８の品種（糸種および番手）と、そのパッケージ８を処理する巻き返しユニット２１で巻き出し用とする原料パッケージ７の品種と、が対応しているかどうか、を判定する。ここで、巻き返しユニット２１による処理内容とは、どのような品種の原料パッケージ７を用いて巻き返し処理を行なうか、ということを意味している。
上記原料パッケージの品種判別は、原料パッケージの芯（ボビン）に埋め込まれた１１Ｃチップ等の記憶媒体や、ボビンを個々に載置して搬送する搬送媒体（トレイ）に埋め込まれた記憶媒体を読み取ることにより知り得る。そして誤って異品種の原料パッケージを人為的ミスで投入した場合に巻取りを中断してアラームを出すことができる。
なお、パッケージ８の品種に関わる管理情報だけでなく、加工条件や生産計画を含めた管理情報と、巻き返しユニット２１による処理内容と、が対応するか否かを、制御装置２０ａで判定させるものとしても良い。この場合、巻き返しユニット２１におけるパッケージ８の製造が、品種（糸種および番手）の一致する原料パッケージ７の巻き返しであって、巻き返しユニット２１における加工条件が一致し、生産計画に沿った（一致する）ものである場合に、制御装置２０ａは、管理情報と巻き返しユニット２１による処理内容とが対応する、と判定する。
制御装置２０ａは、管理情報と巻き返しユニット２１による処理内容とが対応しない、と判定すると、巻き返しユニット２１による巻き返し処理を中断させる。
又、巻き返しユニット２１による処理内容と制御装置２０ａに登録された生産計画との照合が一致しない場合は、巻取りユニットの運転をスタートせずにオペレータ又は管理者の注意を促すようにアラームを出すような対応も可能である。
また、各巻き返しユニット２１には、異常状態を作業者に警告する警告出力装置として、警報ランプ２６が備えられている。制御装置２０ａは、前記対応しない場合には、巻き返しユニット２１による巻き返し処理を中断させるだけでなく、警報ランプ２６を赤色（異常状態の表示色の一例）に点灯させる。警告出力装置の構成は、音声出力であってもよく限定しない。一方、制御装置２０ａは、管理情報と巻き返しユニット２１による処理内容とが対応している、と判定した場合、そのまま巻き返しユニット２１による巻き返し処理を実行させる。
図５を用いて、巻き返し工程２００におけるデータ登録処理を説明する。巻き返し工程２００において、各巻き返しユニット２１での巻き返し処理が終了すると、満巻のパッケージ８が製造され、このパッケージ８は玉揚げ装置２２により巻き返しユニット２１より回収（玉揚げ）される。この巻き返し処理の終了時に、各巻き返しユニット２１で製造されたパッケージ８の加工結果を、サーバ９の記憶装置９ａに記憶させるデータ登録処理が行なわれる。
前記管理装置に備える装置のうち、巻き返し工程２００におけるデータ登録処理に係わる装置は、玉揚げ装置２２に備える記憶媒体リーダ２２ａ、巻き返しユニット２１の信号出力部２１ａ、巻き返し装置２０に備える制御装置２０ａ、サーバ９の記憶装置９ａ、である。記憶媒体リーダ２２ａと制御装置２０ａとの間、信号出力部２１ａと制御装置２０ａとの間、制御装置２０ａと記憶装置９ａとの間は、信号線を介して通信可能に接続されている。
巻き返しユニット２１の信号出力部２１ａからは、巻き返しユニット２１での巻き返し処理によるパッケージ８の処理結果が自動的に出力され、サーバ９の記憶装置９ａへと入力（送信）される。巻き返しユニット２１の信号出力部２１ａとは、巻き返しユニット２１に備えるセンサやアクチュエータの駆動信号出力部を意味している。例えば、糸欠点検出装置２３はセンサであり、糸切断装置２４はカッターを駆動するアクチュエータを備え、糸継ぎ装置２５は糸継ぎ用のノズルよりエアを噴射させるアクチュエータなどを備えている。そして、この信号出力部２１ａより出力される信号を解析すれば、前記各アクチュエータの作動状態（つまり各装置の作動状態、例えば糸切れに応じた糸継ぎ装置の駆動回数など）が把握される。
そして、巻き返しユニット２１におけるパッケージ８の処理結果とは、例えば、あるパッケージ８の製造において、そのパッケージ８を製造した巻き返しユニット２１で、糸切れが何回発生したか、に関する情報である。糸切れの回数に限らず、糸欠点検出装置で検出された糸質に関する情報一般も、パッケージ８の処理結果に当然含めることができる。
サーバ９の記憶装置９ａには、パッケージ８の管理情報（糸種、加工条件、生産計画、等）が予め記憶されているが、これに加えて、前記各処理工程の実施によるパッケージ８の処理結果が、パッケージ８に係わる情報としてデータ登録される。例えば、巻き返し工程２００においては、パッケージ８の処理結果の一つは、前述した糸継ぎの回数に関わる情報が該当する。
また、巻き返し装置２０に備える制御装置２０ａは、巻き返し工程２００におけるデータ登録処理の指令部としても機能する。同じく、玉揚げ装置２２に備える記憶媒体リーダ２２ａは、データ登録処理等においても、ボビン１０に巻き取られるパッケージ８の識別情報を読取る。
巻き返し工程２００におけるデータ登録処理は、次のようにして行なわれる。まず、玉揚げ装置２２の記憶媒体リーダ２２ａにより、満巻となったパッケージ８のボビン１０に記憶されるパッケージ８の識別情報が、読取られる。この記憶媒体リーダ２２ａによる読取りも、制御装置２０ａによる指令に基づいて行なわれる。
次いで、制御装置２０ａは、満巻となったパッケージ８を製造した巻き返しユニット２１の信号出力部２１ａに、そのパッケージ８の処理結果の出力を許可する。信号出力部２１ａよりパッケージ８の処理結果が出力されると、その処理結果は、サーバ９の記憶装置９ａへ入力される。ここで、制御装置２０ａは、パッケージ８の処理結果を、そのパッケージ８の識別情報に対応させて、記憶装置９ａに記憶させる。このようにして、パッケージ８の処理結果が、サーバ９の記憶装置９ａにデータ登録される。
なお、玉揚げ装置が記憶媒体にデータを書き込むライタ装置を搭載しておけば、満巻きとなったパッケージの品質情報を直接ボビン１０に書き込むこともできる。
図６を用いて、検査工程３００における管理処理について説明する。検査工程３００においては、前記管理処理として、データ登録処理が行なわれる。検査工程３００においては、パッケージ８の重量計測検査と、パッケージ８の目視検査と、が行なわれる。これらの検査後には、これらの検査で得られた結果を、サーバ９の記憶装置９ａに記憶させるデータ登録処理が行なわれる。
前記管理装置に備える装置のうち、検査工程３００におけるデータ登録処理に係わる装置は、ハンド式記憶媒体リーダ３１、端末装置３０の制御装置３０ａ、端末装置３０に備えるキーボード等の入力装置３０ｂ、サーバ９の記憶装置９ａ、である。ハンド式記憶媒体リーダ３１と制御装置３０ａとの間、入力装置３０ｂと制御装置３０ａとの間、制御装置３０ａと記憶装置９ａとの間は、信号線を介して通信可能に接続されている。
ハンド式記憶媒体リーダ３１は、作業者が手に持って移動させることが可能な記憶媒体１３の読取装置であり、検査設備３に備えられている。作業者は、ハンド式記憶媒体リーダ３１を、検査対象のパッケージ８に接近させることで、このパッケージ８内のボビン１０に記憶されるパッケージ８の識別情報を読取る。
端末装置３０は、汎用のコンピュータ装置であり、端末装置３０の演算回路等を主として構成される制御装置３０ａ、データの入力装置３０ｂ、ディスプレイ等の出力装置３０ｃ、を備えている。この端末装置３０は、検査設備３に備えられている。
検査工程３００におけるデータ登録処理は、次のようにして行なわれる。まず、作業者がハンド式記憶媒体リーダ３１を、検査対象のパッケージ８に接近させて、そのパッケージ８のボビン１０に記憶される識別情報を、ハンド式記憶媒体リーダ３１により読取らせる。パッケージ８の識別情報の読取りが行なわれると、制御装置３０ａは、入力装置３０ｂに、パッケージ８の処理結果（検査工程３００の場合、検査結果）の入力を許可する。作業者が入力装置３０ｂを利用してパッケージ８の検査結果を入力すると、制御装置３０ａは、その入力された検査結果を、そのパッケージ８の識別情報に対応させて、記憶装置９ａに記憶させる。このようにして、パッケージ８の処理結果（検査結果）が、サーバ９の記憶装置９ａにデータ登録される。
図７を用いて、スチームセット工程４００における管理処理について説明する。スチームセット工程４００においては、前記管理処理として、照合処理が行なわれる。スチームセット工程４００においては、パッケージ８のスチームセットが行なわれる。このスチームセット処理に先立って、処理対象のパッケージ８の品種（糸種および番手）と、スチームセット設備４における処理内容（セット条件）とが対応しているか、を照合する照合処理が行われる。
図７に示すように、前記管理装置に備える装置のうち、スチームセット工程４００における照合処理に係わる装置は、ハンド式記憶媒体リーダ４２、制御装置４０ａ、端末装置４０に備えるディスプレイ等の出力装置４０ｃ、サーバ９の記憶装置９ａ、である。ハンド式記憶媒体リーダ４２と制御装置４０ａとの間、出力装置４０ｃと制御装置４０ａとの間、制御装置４０ａと記憶装置９ａとの間は、信号線を介して通信可能に接続されている。なお、ハンド式記憶媒体リーダ３１・４２、端末装置３１・４２は同様の構成であるので、これらに関する説明は省略する。
スチームセット工程４００における照合処理は、次のようにして行なわれる。まず、作業者がハンド式記憶媒体リーダ４２を、スチームセット対象のパッケージ８に接近させて、そのパッケージ８のボビン１０に記憶される識別情報を、ハンド式記憶媒体リーダ４２により読取らせる。パッケージ８の識別情報の読取りが行なわれると、制御装置４０ａは、パッケージ８の管理情報（品種（糸種および番手））と、そのパッケージ８を処理するスチームセット設備４による処理内容（セット条件）と、が対応するかどうかを判定する。管理情報（品種）と処理内容（セット条件）とが対応していない場合、制御装置４０ａは、画像の表示出力装置である出力装置４０ｃに、異常状態を作業者に報知するための警告表示を行なわせる。このようにして、作業者は、スチームセット工程４００におけるスチームセット処理の実行に先立って、パッケージ８に適正な処理が行なわれるか否かを、確認することができる。
図８を用いて、染色工程５００における管理処理について説明する。染色工程５００においては、前記管理処理として、表示処理が行なわれる。染色工程５００においては、パッケージ８を染色する染色処理が行なわれるが、この処理に先立って、染色処理の対象とするパッケージ８の管理情報（糸種および、糸種に応じた推奨染色条件）を、サーバ９の記憶装置９ａより引き出して表示出力させる表示処理が行なわれる。
前記管理装置に備える装置のうち、染色工程５００における表示処理に係わる装置は、ハンド式記憶媒体リーダ５２、端末装置５０の制御装置５０ａ、端末装置５０に備えるキーボード等の入力装置５０ｂ、サーバ９の記憶装置９ａ、である。ハンド式記憶媒体リーダ５２と制御装置５０ａとの間、入力装置５０ｂと制御装置５０ａとの間、制御装置５０ａと記憶装置９ａとの間は、信号線を介して通信可能に接続されている。なお、ハンド式記憶媒体リーダ３１・５２、端末装置３１・５２は同様の構成であるので、これらに関する説明は省略する。
染色工程５００における表示処理は、次のようにして行なわれる。まず、作業者がハンド式記憶媒体リーダ５２を、染色処理対象のパッケージ８に接近させて、そのパッケージ８のボビン１０に記憶される識別情報を、ハンド式記憶媒体リーダ５２により読取らせる。パッケージ８の識別情報の読取りが行なわれると、制御装置５０ａは、パッケージ８の管理情報のうち、糸種と、その糸種における推奨染色条件と、をサーバ９の記憶装置９ａより引き出して、画像の表示出力装置である出力装置５０ｃに、表示出力させる。ここで、糸種における推奨染色条件は、前記加工条件に関する情報の一つであり、パッケージ８の管理情報に含まれる情報である。このようにして、作業者は、染色工程５００における染色処理の実行に先立って、それに必要な情報（糸種および推奨染色条件）を、確認することができる。
図９を用いて、入庫管理工程６００における管理処理について説明する。入庫管理工程６００においては、前記管理処理として、照合処理が行なわれる。入庫管理工程６００においては、パッケージ８の複数個単位での梱包処理と、パッケージ８の梱包物１８（梱包されたパッケージ８）を、入庫管理設備６に備える倉庫６４に仕分けする仕分け処理と、が行なわれる。ここで、仕分け処理に先立って、梱包物１８内のパッケージ８の管理情報と、梱包処理が対応しているか、を照合する照合処理が行なわれる。ここで、管理情報と梱包処理とが対応するとは、パッケージ８の品種（糸種および番手）や生産計画（ロット）に応じた梱包が行なわれていることを意味する。例えば、同一の梱包物１８の中に、異なる品種のパッケージ８や、異なるロットのパッケージ８が混じっている場合は、管理情報と梱包処理とが対応していない場合である。
図９に示すように、前記管理装置に備える装置のうち、入庫管理工程６００における照合処理に係わる装置は、ハンド式記憶媒体リーダ６２、制御装置６０ａ、端末装置６０に備えるディスプレイ等の出力装置６０ｃ、サーバ９の記憶装置９ａ、である。ハンド式記憶媒体リーダ６２と制御装置６０ａとの間、出力装置６０ｃと制御装置６０ａとの間、制御装置６０ａと記憶装置９ａとの間は、信号線を介して通信可能に接続されている。なお、ハンド式記憶媒体リーダ３１・６２、端末装置３１・６２は同様の構成であるので、これらに関する説明は省略する。
入庫管理工程６００における照合処理は、次のようにして行なわれる。まず、作業者がハンド式記憶媒体リーダ６２を、パッケージ８の梱包物１８に接近させて、その梱包物１８内に収容されるパッケージ８のボビン１０に記憶される識別情報を、ハンド式記憶媒体リーダ４２により読取らせる。同一の梱包物１８内に複数のパッケージ８が収容されている場合であっても、ハンド式記憶媒体リーダ６２により、個別にそれぞれのパッケージ８の識別情報が読取られる。
パッケージ８の識別情報の読取りが行なわれると、制御装置６０ａは、パッケージ８の管理情報と、そのパッケージ８を処理する入庫管理設備６による処理内容（梱包処理の結果）と、が対応するかどうかを判定する。管理情報と処理内容（梱包処理の結果）とが対応していない場合、制御装置６０ａは、画像の表示出力装置である出力装置６０ｃに、異常状態を作業者に報知するための警告表示を行なわせる。このようにして、作業者は、入庫管理工程６００における梱包処理の結果が適正に行なわれたか否かを、確認することができる。
前記各処理工程が終了した段階では、サーバ９の記憶装置９ａに、各処理工程でのデータ登録処理により登録された情報が、パッケージ８に関連する情報として追加されている。本実施の形態では、巻き返し工程２００でのパッケージ８の処理結果（糸切れ回数等）と、検査工程３００でのパッケージ８の処理結果（重量や目視の検査結果）とが、データ登録処理により追加される情報である。また、これらのパッケージ８に関連する情報は、記憶装置９ａ内において、パッケージ８の識別情報に対応して、記憶される構成である。
このため、パッケージ加工設備１よりパッケージ８が搬出されて、織布設備１２等の後工程の処理設備に受け渡される際に、パッケージ８の原料（糸種）に関する情報のみではなく、パッケージ８の加工処理結果（仕上がり具合）の情報をも、同時に受け渡すことが可能となる。
また、以上の説明においては、パッケージ８に関連する情報の記憶先は、サーバ９の記憶装置９ａとしていたが、記憶媒体１３に備える記憶装置を、前記情報の記憶先としても良い。この場合、前記各記憶媒体リーダ２２ａ・３２・４２・５２・６２に代えて、記憶媒体内の記憶装置の読取りと、この記憶装置への書き込みと、が可能なリーダ／ライタ装置とする。また、これに対応して、書き込むべきデータ量に対応した記憶容量を有する記憶媒体を、用いるものとする。このように構成することで、作業者は、ネットワーク接続を介して接続されるサーバ９等に一々アクセスすることなく、パッケージ８にリーダ／ライタ装置を用いて、データの照合や表示、データの登録などを行なうことが可能となる。
本発明をまとめる。第一の発明たる巻き糸パッケージの巻取り管は、内部に記憶媒体が埋め込まれているものである。
本実施の形態では、巻き糸パッケージの巻取り管は、巻き糸パッケージ８の芯管となるボビン１０である。このボビン１０は、紙を巻回して筒状の紙積層体に形成される紙管であり、中間層１０ｂと外層１０ｃとの間に、薄片状（ラベル型）の記憶媒体１３が埋め込まれている。巻き糸パッケージの巻取り管は、紙管に限定されるものではなく、樹脂等その他の素材で形成される巻取り管であってもよい。
以上構成により、記憶媒体は、巻取り管により保護される。このため、識別情報の記憶手段として機能する記憶媒体を、巻取り管から剥離する恐れなく一体化できると共に、巻取り管上へのパッケージの巻取りや巻取り管の搬送等の通常の作業によって記憶内容が劣化することもない。
第二の発明たる巻き糸パッケージの管理装置は、次の構成である。この巻き糸パッケージの管理装置は、第一の発明たる巻き糸パッケージの巻取り管を芯とする巻き糸パッケージを一又は複数段階の処理工程を経て加工すべく、前記各処理工程を担当する処理設備をそれぞれ備える加工工場における巻き糸パッケージの管理装置である。この巻き糸パッケージの管理装置は、前記記憶媒体内に記憶されるデータを読取る記憶媒体読取装置と、データ入力装置と、データ記憶装置と、制御装置と、を備えている。前記巻取り管内の前記記憶媒体には、この巻取り管に巻き取られる巻き糸パッケージの識別情報が記憶される。前記制御装置は、少なくとも一つの前記各処理工程において、前記処理設備により処理を受けた前記巻き糸パッケージの前記識別情報が前記記憶媒体読取装置により読取られると、その巻き糸パッケージが前記処理設備で受けた処理結果の入力を前記データ入力装置に許可すると共に、入力された前記処理結果を前記識別情報に対応させて前記データ記憶装置に記憶させる、ものである。
本実施の形態に関わるパッケージ加工工場１は、巻き返し設備２、検査設備３、スチームセット設備４、染色設備５、入庫管理設備６、サーバ９、を備えている。そして、パッケージ８は、巻き返し工程（パッケージ形成工程）２００、検査工程３００、スチームセット工程４００、染色工程５００、入庫管理工程６００、の各処理工程を経て加工される。
本実施の形態では、巻き返し工程２００と、検査工程３００とで、データ登録処理が行なわれる。本実施の形態である管理設備に備える装置のうち、検査工程３００におけるデータ登録処理に係わる装置は、ハンド式記憶媒体リーダ３１（記憶媒体読取装置）、端末装置３０の制御装置３０ａ、端末装置３０に備えるキーボード等の入力装置３０ｂ（データ入力装置）、サーバ９の記憶装置９ａ（データ記憶装置）、である。検査工程３００におけるデータ登録処理は、次のようにして行なわれる。制御装置３０ａは、パッケージ８の識別情報の読取りがハンド式記憶媒体リーダ３１により行なわれると、入力装置３０ｂに、パッケージ８の処理結果（検査工程３００の場合、検査結果）の入力を許可し、入力装置３０ｂによりパッケージ８の検査結果が入力されると、その入力された検査結果を、そのパッケージ８の識別情報に対応させて、記憶装置９ａに記憶させる。
このため、記憶媒体に記憶させた識別情報に基づいて、パッケージに関する情報のデータ登録が可能である。特に、記憶媒体を、巻取り管から剥離する恐れなく一体化できると共に、巻取り管上へのパッケージの巻取りや巻取り管の搬送等の通常の作業によって記憶内容が劣化することもないので、パッケージの管理が確実となる。
第三の発明たる巻き糸パッケージの管理装置は、第二の発明において、次の構成としたものである。前記処理設備の少なくとも一つにおいては、この処理設備の信号出力部を前記データ入力装置とし、この信号出力部より、前記パッケージの処理結果に関わる信号を自動的に出力させて、前記データ記憶装置に入力させる、ものである。
本実施の形態では、巻き返し工程２００と、検査工程３００とで、データ登録処理が行なわれる。他の処理工程においても、データ登録処理が行なわれるものとしても良い。
本実施の形態では、巻き返し設備２の信号出力部２１ａが、前記データ入力装置として利用される。加えて、巻き返し工程２００においても、データ登録処理が行なわれる。
本実施の形態である管理設備に備える装置のうち、巻き返し工程２００におけるデータ登録処理に係わる装置は、玉揚げ装置２２に備える記憶媒体リーダ２２ａ、巻き返しユニット２１の信号出力部２１ａ、巻き返し装置２０に備える制御装置２０ａ、サーバ９の記憶装置９ａ、である。巻き返し工程２００におけるデータ登録処理は、次のようにして行なわれる。制御装置２０ａは、玉揚げ装置２２の記憶媒体リーダ２２ａによりパッケージ８の識別情報が読取られると、満巻となったパッケージ８を製造した巻き返しユニット２１の信号出力部２１ａに、そのパッケージ８の処理結果の出力を許可する。信号出力部２１ａよりパッケージ８の処理結果が出力されると、その処理結果は、サーバ９の記憶装置９ａへ入力される。ここで、制御装置２０ａは、パッケージ８の処理結果を、そのパッケージ８の識別情報に対応させて、記憶装置９ａに記憶させる。
このため、記憶媒体に記憶させた識別情報に基づいて、パッケージに関する情報のデータ登録が自動的に可能である。
第四の発明たる巻き糸パッケージの管理装置は、次の構成である。この巻き糸パッケージの管理装置は、第一の発明である巻き糸パッケージの巻取り管を芯とする巻き糸パッケージを一又は複数段階の処理工程を経て加工すべく、前記各処理工程を担当する処理設備をそれぞれ備える加工工場における巻き糸パッケージの管理装置である。この巻き糸パッケージの管理装置は、前記記憶媒体内に記憶されるデータを読取る記憶媒体読取装置と、データ記憶装置と、制御装置と、を備えている。前記巻取り管内の前記記憶媒体には、この巻取り管に巻き取られる巻き糸パッケージの識別情報が記憶されている。前記データ記憶装置には、前記各巻き糸パッケージの糸種、加工条件、生産計画、に関連する情報が、管理情報として、前記各識別情報に対応して記憶される。前記制御装置は、少なくとも一つの前記各処理工程において、前記巻き糸パッケージの前記識別情報が前記記憶媒体読取装置により読取られると、その巻き糸パッケージの前記管理情報と、その巻き糸パッケージを処理する処理設備による処理内容と、が対応するかどうかを判定し、対応していない場合には、前記処理設備による前記巻き糸パッケージの処理を中断させる、及び／又は、警告出力装置を介して警告させる。
本実施の形態におけるパッケージ加工工場１は、巻き返し設備２、検査設備３、スチームセット設備４、染色設備５、入庫管理設備６、サーバ９、を備えている。そして、パッケージ８は、巻き返し工程（パッケージ形成工程）２００、検査工程３００、スチームセット工程４００、染色工程５００、入庫管理工程６００、の各処理工程を経て加工される。
本実施の形態では、巻き返し工程２００と、スチームセット工程４００と、入庫管理工程６００とで、照合処理が行なわれる。他の処理工程においても、照合処理が行なわれるものとしても良い。
本実施の形態である管理設備に備える装置のうち、巻き返し工程２００における照合処理に係わる装置は、玉揚げ装置２２に備える記憶媒体リーダ２２ａ、巻き返し装置２０に備える制御装置２０ａ、サーバ９の記憶装置９ａ、である。制御装置２０ａは、玉揚げ装置２２の記憶媒体リーダ２２ａにより、巻き返しユニット２１に装着されたボビン１０に記憶されるパッケージ８の識別情報が読取られると、パッケージ８の管理情報と、そのパッケージ８を処理する巻き返しユニット２１による処理内容と、が対応するかどうかを判定する。そして、制御装置２０ａが、管理情報と巻き返しユニット２１による処理内容とが対応しない、と判定すると、巻き返しユニット２１による巻き返し処理を中断させると共に、警告出力装置である警報ランプ２６を赤色（異常状態の表示色の一例）に点灯させる。警告出力装置の構成は、音声出力であってもよく限定しない。
このため、記憶媒体に記憶させた識別情報に基づいて、パッケージに関する情報の照合が可能である。特に、記憶媒体を、巻取り管から剥離する恐れなく一体化できると共に、巻取り管上へのパッケージの巻取りや巻取り管の搬送等の通常の作業によって記憶内容が劣化することもないので、パッケージの管理が確実となる。
第五の発明たる巻き糸パッケージの管理装置は、次の構成である。この巻き糸パッケージの管理装置は、第一の発明たる巻き糸パッケージの巻取り管を芯とする巻き糸パッケージを一又は複数段階の処理工程を経て加工すべく、前記各処理工程を担当する処理設備をそれぞれ備える加工工場における巻き糸パッケージの管理装置である。この巻き糸パッケージの管理装置は、前記記憶媒体内に記憶されるデータを読取る記憶媒体読取装置と、データ記憶装置と、データ出力装置と、制御装置と、を備えている。前記巻取り管内の前記記憶媒体には、この巻取り管に巻き取られる巻き糸パッケージの識別情報が記憶されている。前記データ記憶装置には、前記各巻き糸パッケージの糸種、加工条件、生産計画、に関連する情報が、管理情報として、前記各識別情報に対応して記憶される。前記制御装置は、少なくとも一つの前記各処理工程において、前記巻き糸パッケージの前記識別情報が前記記憶媒体読取装置により読取られると、その巻き糸パッケージの前記管理情報の少なくとも一部を前記データ記憶装置より引き出して、前記データ出力装置に表示出力させる。
本実施の形態に関わるパッケージ加工工場１は、巻き返し設備２、検査設備３、スチームセット設備４、染色設備５、入庫管理設備６、サーバ９、を備えている。そして、パッケージ８は、巻き返し工程（パッケージ形成工程）２００、検査工程３００、スチームセット工程４００、染色工程５００、入庫管理工程６００、の各処理工程を経て加工される。
本実施の形態では、染色工程５００で、表示処理が行なわれる。他の処理工程においても、表示処理が行なわれるものとしても良い。
本実施の形態である管理設備に備える装置のうち、染色工程５００における表示処理に係わる装置は、ハンド式記憶媒体リーダ５２、端末装置５０の制御装置５０ａ、端末装置５０に備えるキーボード等の入力装置５０ｂ、サーバ９の記憶装置９ａ、である。制御装置５０ａは、ハンド式記憶媒体リーダ５２によりパッケージ８の識別情報の読取りが行なわれると、パッケージ８の管理情報のうち、糸種と、その糸種における推奨染色条件と、をサーバ９の記憶装置９ａより引き出して、画像の表示出力装置である出力装置５０ｃに、表示出力させる。
このため、記憶媒体に記憶させた識別情報に基づいて、パッケージに関する情報の表示が可能である。特に、記憶媒体を、巻取り管から剥離する恐れなく一体化できると共に巻取り管上へのパッケージの巻取りや巻取り管の搬送等の通常の作業によって記憶内容が劣化することもないので、パッケージの管理が確実となる。
第六の発明たる巻き糸パッケージの管理装置は、第二から第五の発明において、次の構成としたものである。前記記憶媒体はデータの読取りおよび書き込みが可能に構成されると共に、前記記憶媒体にデータを書き込む記憶媒体書込み装置を備えるものである。
このため、パッケージの巻取り管内の記憶媒体に、パッケージに関する情報を直接書き込んだり読取ったりすることができ、パッケージの管理がより一層容易となる。
［発明の効果］
本発明の効果として、以下に示すような効果を奏する。
請求項１においては、識別情報の記憶手段として機能する記憶媒体を、巻取り管から剥離する恐れなく一体化できると共に、巻取り管上へのパッケージの巻取りや巻取り管の搬送等の通常の作業によって記憶内容が劣化することもない。
請求項２においては、記憶媒体に記憶させた識別情報に基づいて、パッケージに関する情報のデータ登録が可能である。特に、記憶媒体を、巻取り管から剥離する恐れなく一体化できると共に、巻取り管上へのパッケージの巻取りや巻取り管の搬送等の通常の作業によって記憶内容が劣化することもないので、パッケージの管理が確実となる。
請求項３においては、記憶媒体に記憶させた識別情報に基づいて、パッケージに関する情報のデータ登録が自動的に可能である。
請求項４においては、記憶媒体に記憶させた識別情報に基づいて、パッケージに関する情報の照合が可能である。特に、記憶媒体を、巻取り管から剥離する恐れなく一体化できると共に、巻取り管上へのパッケージの巻取りや巻取り管の搬送等の通常の作業によって記憶内容が劣化することもないので、パッケージの管理が確実となる。
請求項５においては、記憶媒体に記憶させた識別情報に基づいて、パッケージに関する情報の表示が可能である。特に、記憶媒体を、巻取り管から剥離する恐れなく一体化できると共に巻取り管上へのパッケージの巻取りや巻取り管の搬送等の通常の作業によって記憶内容が劣化することもないので、パッケージの管理が確実となる。
請求項６においては、パッケージの巻取り管内の記憶媒体に、パッケージに関する情報を直接書き込んだり読取ったりすることができ、パッケージの管理がより一層容易となる。
【図１】
2006134783.tif 000002
【図２】
2006134783.tif 000003
【図３】
2006134783.tif 000004
【図４】
2006134783.tif 000005
【図５】
2006134783.tif 000006
【図６】
2006134783.tif 000007
【図７】
2006134783.tif 000008
【図８】
2006134783.tif 000009
【図９】
2006134783.tif 000010
【国際調査報告】
2006134783.tif 000011
2006134783.tif 000012
2006134783.tif 000013
2006134783.tif 000014